(57)【要約】【課題】左右両方の手で操作できる使い勝手のよい撮像装置を提供する。【解決手段】ヒンジユニット３０を介してモニタ１８がカメラボディ１２に取り付けられる。ヒンジユニット３０は、ヒンジブロック３２、回転ブロック３４、旋回ブロック３６からなり、モニタ１８は、ヒンジブロック３２により開閉自在に支持され、回転ブロック３４により回転軸４４周りに回動自在に支持される。また、旋回ブロック３６により、カメラボディ１２の右側面と左側面との間を移動自在に支持される。これにより、すなわち、左右いずれの利き腕のユーザにも同様の操作感で使用することができる。【選択図】      図１
2005101714.tif 000002
【特許請求の範囲】
【請求項１】
撮影装置本体の側面にヒンジ部材を介してモニタが開閉自在に設けられた撮影装置において、
前記モニタと前記ヒンジ部材との連結部に設けられ、前記ヒンジ部材に対して前記モニタを回転自在に支持する回転支持部材と、
前記モニタと前記撮影装置本体との連結部に設けられ、前記ヒンジ部材を前記撮影装置本体の右側面と左側面とに移動自在に支持する移動支持部材と、
を備え、前記移動支持部材を介して前記ヒンジ部材を前記撮影装置本体の右側面又は他方側側面に移動させることにより、前記モニタを前記撮影装置本体の右側面又は左側面に開閉自在に設けたことを特徴とする撮影装置。
【請求項２】
撮影装置本体の側面にヒンジ部材を介してモニタが開閉自在に設けられた撮影装置において、
前記モニタと前記ヒンジ部材との連結部に設けられ、前記ヒンジ部材に対して前記モニタを回転自在に支持する回転支持部材と、
前記撮影装置本体に設けられ、前記ヒンジ部材が着脱自在に取り付けられるヒンジ取付部であって、前記ヒンジ部材を上下反転可能に支持し、該ヒンジ部材を上下反転させて支持することにより、前記モニタが前記撮影装置本体の右側面又は左側面に配置されるヒンジ取付部と、
を備えたことを特徴とする撮影装置。
【請求項３】
前記ヒンジ取付部は、前記撮影装置本体の前面に設けられるとともに、前記ヒンジ部材には、バッテリ装着部が設けられ、該バッテリ装着部は、前記モニタに対して前記装置本体の他方側の側面に配置されることを特徴とする請求項２に記載の撮影装置。
【請求項４】
撮影装置本体の前面に撮影レンズを備えるとともに、側面にヒンジ部材を介してモニタが開閉自在に設けられた撮影装置において、
前記モニタと前記ヒンジ部材との連結部に設けられ、前記ヒンジ部材に対して前記モニタを回転自在に支持する回転支持部材と、
前記ヒンジ部材と前記回転支持部材を介して前記モニタの表示面が前記撮影装置本体の前方に向けられたことを検出する検出手段と、
前記撮影レンズのマクロ機能をＯＮ／ＯＦＦする制御手段であって、前記検出手段で前記モニタの表示面が前記撮影装置本体の前方に向けられたことが検出されると、前記撮影レンズのマクロ機能をＯＮにし、前記撮影装置本体の前方以外の方向に向けられたことが検出されると、前記撮影レンズのマクロ機能をＯＦＦにする制御手段と、
を備えたことを特徴とする撮影装置。
【請求項５】
前記制御手段による制御の停止を指示する指示手段を備え、前記制御手段は、該指示手段から制御の停止の指示を受けると、前記撮影レンズのマクロ機能の制御を停止することを特徴とする請求項４に記載の撮影装置。
【発明の詳細な説明】
【技術分野】
【０００１】
本発明は撮影装置に係り、特に装置本体に液晶パネル等の表示装置を備えた撮影装置に関する。
【背景技術】
【０００２】
近年、小型化によりビデオカメラは片手で構えて撮影するタイプのものが増えている。そして、大部分のビデオカメラは、右手で構えて撮影することを前提に設計されており、左利きのユーザにとっては、大変使いづらいものとなっていた。
【０００３】
しかしながら、左利き専用のビデオカメラを設計しても、実際の需要が少ないので、効率が悪いという問題があった。
【０００４】
そこで、特許文献１では、撮像部をビデオカメラ本体の上に１８０度回転可能に取り付けることにより、左右いずれの手で保持しても撮影できる構成にしている。
【０００５】
また、一般にビデオカメラやデジタルスチルカメラは、撮影画像を確認するための液晶パネル等の表示装置を備えているものが多く、中には撮影者自身を表示装置に映し出しながら撮影できるようにするために（いわゆる、自分撮り）、ヒンジ等で表示装置をレンズと同じ方向に向けられるようにしているものもある（たとえば、特許文献２、３）。
【特許文献１】特開２００１−２２２０５７号公報
【特許文献２】特開２００３−１１０８８５号公報
【特許文献３】特開平１１−２３９２８７号公報
【発明の開示】
【発明が解決しようとする課題】
【０００６】
ところで、特許文献１のビデオカメラの場合、撮像部をビデオカメラ本体に対して１８０度回転させることによって、ビデオカメラを左右両方の手で操作できるようにしているが、特許文献１の構成では、右手用にした時と左手用にした時とでビデオカメラ本体の向きが前後逆になってしまい、ビデオカメラ本体に設けたスイッチや表示装置のレイアウトに制約を受けるという欠点がある。
【０００７】
また、自分撮りをする場合は、近距離での撮影になるため、通常はカメラのモードをマクロモードに設定して撮影する必要があるが、従来のビデオカメラ等の場合は撮影者自身がカメラのモードを設定しなければならず、使い勝手が悪いという欠点があった。
【０００８】
本発明は、このような事情に鑑みてなされたもので、左右両方の手で操作できる使い勝手のよい撮影装置を提供することを目的とする。
【課題を解決するための手段】
【０００９】
請求項１に係る発明は、前記目的を達成するために、撮影装置本体の側面にヒンジ部材を介してモニタが開閉自在に設けられた撮影装置において、前記モニタと前記ヒンジ部材との連結部に設けられ、前記ヒンジ部材に対して前記モニタを回転自在に支持する回転支持部材と、前記モニタと前記撮影装置本体との連結部に設けられ、前記ヒンジ部材を前記撮影装置本体の右側面と左側面とに移動自在に支持する移動支持部材と、を備え、前記移動支持部材を介して前記ヒンジ部材を前記撮影装置本体の右側面又は他方側側面に移動させることにより、前記モニタを前記撮影装置本体の右側面又は左側面に開閉自在に設けたことを特徴とする撮影装置を提供する。
【００１０】
本発明によれば、移動支持部材を介してヒンジ部材が撮影装置本体の右側面と左側面とに移動自在に支持される。そして、この移動支持部材によってヒンジ部材を撮影装置本体の右側面又は他方側側面に移動させることにより、モニタが撮影装置本体の右側面又は左側面に開閉自在に設けられる。これにより、たとえば右利きのユーザは、モニタを撮影装置本体の左側面に開閉自在に設けることにより、撮影装置本体の右側面を右手で持って撮影することができるようになり、また、左利きのユーザは、モニタを撮影装置本体の右側面に開閉自在に設けることにより、撮影装置本体の左側面を左手で持って撮影することができるようになる。すなわち、左右いずれの利き腕のユーザにも同様の操作感で使用することができる。
【００１１】
また、請求項２に係る発明は、前記目的を達成するために、撮影装置本体の側面にヒンジ部材を介してモニタが開閉自在に設けられた撮影装置において、前記モニタと前記ヒンジ部材との連結部に設けられ、前記ヒンジ部材に対して前記モニタを回転自在に支持する回転支持部材と、前記撮影装置本体に設けられ、前記ヒンジ部材が着脱自在に取り付けられるヒンジ取付部であって、前記ヒンジ部材を上下反転可能に支持し、該ヒンジ部材を上下反転させて支持することにより、前記モニタが前記撮影装置本体の右側面又は左側面に配置されるヒンジ取付部と、を備えたことを特徴とする撮影装置。
【００１２】
本発明によれば、ヒンジ部材が撮影装置本体に設けられたヒンジ取付部に着脱自在に取り付けられる。ヒンジ部材は、このヒンジ取付部に対して上下反転可能に支持され、上下を反転させて支持させると、モニタが装置本体の右側面又は左側面に入れ替えられて配置される。これにより、請求項１に係る発明と同様に左右いずれの利き腕のユーザにも同様の操作感で使用することができる。
【００１３】
また、請求項３に係る発明は、前記目的を達成するために、前記ヒンジ取付部は、前記撮影装置本体の前面に設けられるとともに、前記ヒンジ部材には、バッテリ装着部が設けられ、該バッテリ装着部は、前記モニタに対して前記装置本体の他方側の側面に配置されることを特徴とする請求項２に記載の撮影装置を提供する。
【００１４】
本発明によれば、撮影装置本体の一方側側面にバッテリ装着部が設けられ、他方側側面にモニタが設けられる。これにより、バランスのよいレイアウトにすることができる。
【００１５】
また、請求項４に係る発明は、前記目的を達成するために、撮影装置本体の前面に撮影レンズを備えるとともに、側面にヒンジ部材を介してモニタが開閉自在に設けられた撮影装置において、前記モニタと前記ヒンジ部材との連結部に設けられ、前記ヒンジ部材に対して前記モニタを回転自在に支持する回転支持部材と、前記ヒンジ部材と前記回転支持部材を介して前記モニタの表示面が前記撮影装置本体の前方に向けられたことを検出する検出手段と、前記撮影レンズのマクロ機能をＯＮ／ＯＦＦする制御手段であって、前記検出手段で前記モニタの表示面が前記撮影装置本体の前方に向けられたことが検出されると、前記撮影レンズのマクロ機能をＯＮにし、前記撮影装置本体の前方以外の方向に向けられたことが検出されると、前記撮影レンズのマクロ機能をＯＦＦにする制御手段と、を備えたことを特徴とする撮影装置を提供する。
【００１６】
本発明によれば、モニタの表示面を撮影装置本体の前方に向け、撮影レンズと同じ方向に向けると、自動的に撮影レンズのマクロ機能がＯＮにされる。すなわち、通常、モニタの表示面を撮影レンズと同じ方向に向けるのは、撮影者自身を撮影する場合なので、この場合は、自動的に撮影レンズのマクロ機能をＯＮにして、ピント合わせができるようにしている。これにより、撮影者が自らマクロ機能の設定をする必要がなくなり、使い勝手が向上する。
【００１７】
また、請求項５に係る発明は、前記目的を達成するために、前記制御手段による制御の停止を指示する指示手段を備え、前記制御手段は、該指示手段から制御の停止の指示を受けると、前記撮影レンズのマクロ機能の制御を停止することを特徴とする請求項４に記載の撮影装置を提供する。
【００１８】
本発明によれば、請求項４に係るマクロ機能の自動切替の機能を任意にＯＮ／ＯＦＦすることができる。これにより、撮影者の意図に反して自動的にマクロ機能がＯＮにされてしまう不具合を防止することができる。
【発明の効果】
【００１９】
本発明によれば、左右いずれの利き腕のユーザにも同様の操作感で使用することができる。
【発明を実施するための最良の形態】
【００２０】
以下、添付図面に従って本発明に係る撮影装置を実施するための最良の形態について詳説する。
【００２１】
図１〜図４は、それぞれ本発明が適用されたデジタルビデオカメラ１０の第１の実施形態の構成を示す正面図、上面図、右側面図、背面図である。
【００２２】
同図に示すように、本実施の形態のデジタルビデオカメラ１０のカメラボディ（装置本体）１２は、ほぼ直方体状に形成されており、縦長に形成されている。このカメラボディ１２の正面には、図１に示すように、撮影レンズ１４、ストロボ１６が配置されており、側面には、モニタ１８が配置されている。また、このカメラボディ１２の背面には、図４に示すように、録画ボタン２０、ズームスイッチ２２、モードスイッチ２４、十字ボタン２６、ＭＥＮＵ／ＯＫボタン２８等の操作ボタン類が、ほぼ中央位置に縦列配置されている。
【００２３】
録画ボタン２０は、録画の開始と終了を指示するボタンであり、デジタルビデオカメラ１０は、この録画ボタン２０をワンプッシュすることにより、録画を開始し、更にワンプッシュすることにより、録画を終了する。
【００２４】
ズームスイッチ２２は、撮影レンズのズームを指示するスイッチであり、上下方向に揺動自在に支持されている。撮影レンズ１４は、このズームスイッチ２２を上側に押下することにより、テレ側に変倍し、下側に押下することにより、ワイド側に変倍する。
【００２５】
モードスイッチ２４は、デジタルビデオカメラのモードの切り替えるスイッチであり、回動自在に支持されている。デジタルビデオカメラ１０は、このモードスイッチ２４を「カメラ」の位置に位置させることにより、「カメラモード」に設定され、「ビデオ」の位置に位置させることにより、「ビデオモード」に設定される。そして、「カメラモード」に設定することにより、録画可能になり、「ビデオモード」に設定することにより、再生が可能になる。
【００２６】
なお、このモードスイッチ２４は、デジタルビデオカメラ１０の電源スイッチを兼ねており、このモードスイッチ２４を「切」の位置に位置させることにより、デジタルビデオカメラ１０の電源がＯＦＦになり、「カメラ」又は「ビデオ」の位置に位置させることにより、「カメラモード」又は「ビデオモード」の下で電源がＯＮになる。
【００２７】
十字ボタン２６は、上下左右４方向の指示を入力するボタンとして機能し、メニュー画面において、メニュー項目の選択等に使用される。
【００２８】
ＭＥＮＵ／ＯＫボタン２８は、メニュー画面の表示の指示や選択項目の決定や処理の実行を指示するボタンとして機能する。
【００２９】
カメラボディ１２の側面に設けられたモニタ１８は、カラー表示が可能な液晶パネルディスプレイで構成されており、このモニタ１８に撮影画像や再生画像等が表示される。このモニタ１８は、ヒンジユニット３０を介してカメラボディ１２に取り付けられており、カメラボディ１２の側面に対して開閉自在かつ回転自在に設けられている。
【００３０】
ヒンジユニット３０は、主としてヒンジブロック３２、回転ブロック３４、旋回ブロック３６で構成されている。
【００３１】
旋回ブロック３６は、図１に示すように、カメラボディ１２の前面に形成された旋回ブロック収容部３８に収容配置されている。そして、その旋回ブロック収容部３８内に配置された旋回軸４０に回動自在に支持されている。旋回軸４０は、カメラボディ１２の幅方向の中央位置に上下方向に沿って配置されており、旋回ブロック３６は、この旋回軸４０を中心に１８０度の範囲で旋回する。なお、旋回ブロック３６と旋回軸４０との間にはフリクションが与えられており、旋回ブロック３６を任意の位置で止めることができるようになっている。
【００３２】
ヒンジブロック３２は、旋回ブロック３６の先端部に設けられた開閉軸４２に回動自在に支持されている。開閉軸４２は、旋回軸４０と平行に設けられており、ヒンジブロック３２は、この開閉軸４２を中心に回動する。そして、このヒンジブロック３２は、旋回ブロック３６を旋回させることにより、カメラボディ１２の右側面と左側面との間を移動する。なお、ヒンジブロック３２と開閉軸４２との間にはフリクションが与えられており、ヒンジブロック３２を任意の位置で止めることができるようにされている。
【００３３】
回転ブロック３４は、ヒンジブロック３２とモニタ１８とを連結し、モニタ１８をヒンジブロック３２に対して回転軸４４周りに回転自在に支持する。回転軸４４は、開閉軸４２に対して直交して設けられており、モニタ１８の基端部中央に配置されている。モニタ１８は、この回転軸４４を中心に回転させることにより、傾斜角度（チルト角度）を調整することができる。また、この回転軸４４を中心に１８０度回転させることにより、表裏が反転するとともに上下が反転する。なお、回転軸４４と回転ブロック３４との間には、フリクションが与えられており、モニタ１８を任意の角度で止めることができるようになっている。
【００３４】
以上のように構成されたヒンジユニット３０により、モニタ１８をカメラボディ１２の右側面又は左側面に選択的に配置することができるとともに、その開閉角及び傾斜角を調整できる。すなわち、図５に示すように、旋回ブロック３６を旋回軸４０周りに旋回させて、ヒンジブロック３２をカメラボディ１２の右側面又は左側面に移動させることにより、モニタ１８をカメラボディ１２の右側面又は左側面に移動させることができ、開閉軸４２周りに回転させることにより、開閉角を調整できる。そして、回転軸４４周りに回転させることにより、傾斜角を調整できる。
【００３５】
なお、カメラボディ１２の右側面及び左側面には、それぞれモニタ収容部４６Ｒ、４６Ｌが形成されており、右側面又は左側面に配置されたモニタ１８を収容できるようになっている。
【００３６】
また、旋回ブロック３６を旋回させてモニタ１８をカメラボディ１２の一方側の側面から他方側の側面に移動させると、モニタ１８の表裏が反転するので、この場合は、モニタ１８を回転軸４４周りに１８０度回転させる。これにより、背面側（撮影者側）にモニタ１８の表示面を向けることができる。また、これにより、モニタ１８の表示が上下反転するので、この場合は、モニタ１８に表示される画像を上下反転させる。
【００３７】
図６は、本実施の形態のデジタルビデオカメラ１０の要部の構成を示すブロック図である。撮影レンズ１４を介してＣＣＤ５０の受光面に結像された被写体の光学像は、ＣＣＤ５０によって電気信号に変換されたのち、信号処理回路５２によって画像信号に処理される。そして、その信号処理回路５２によって処理された画像信号が、記録部５４で記録メディア５６に記録されるとともに、表示回路５８にて表示用の信号形式に変換されてモニタ１８に表示される。
【００３８】
ＣＰＵ６０は、デジタルビデオカメラ１０の動作を統括制御する制御手段であり、ＲＯＭ６２に記録されたプログラムに従って各回路を制御する。
【００３９】
表示回路５８は、このＣＰＵ６０からのコマンドに従ってモニタ１８に表示する画像を上下反転させる。すなわち、ＣＰＵ６０は、回転角度検出センサ６４によって検出されるモニタ１８の回転角度が１８０度以上になると、モニタ１８に表示される画像が、上下反転するように表示回路５８にコマンドを出力する。表示回路５８は、このＣＰＵ６０からのコマンドに従ってモニタ１８に出力する画像を上下反転させる。
【００４０】
なお、回転角度検出センサ６４は、モニタ１８の回転軸４４周りの回転角度を検出するセンサとして構成され、図１（ｂ）に示すように、モニタ１８をカメラボディ１２の右側面に配置し、表示面を後ろ側に向けて正立させた時（表示面を開閉軸４２と平行にした時）を０度として回転軸４４周りの回転角度を検出する。
【００４１】
前記のごとく構成された第１の実施の形態のデジタルビデオカメラ１０の作用は次のとおりである。
【００４２】
上記のように、本実施の形態のデジタルビデオカメラ１０は、モニタ１８をカメラボディ１２の右側面又は左側面のいずれの方向に配置することができる。したがって、たとえば、左利きのユーザは、図１（ａ）に示すように、モニタ１８をカメラボディ１２を左側面に配置することにより、左手でカメラボディ１２の右側面をグリップして撮影操作することができる。また、右利きのユーザは、図１（ｂ）に示すように、モニタ１８をカメラボディ１２を右側面に配置することにより、右手でカメラボディ１２の左側面をグリップして撮影操作することができる。
【００４３】
この場合、左側面に位置していたモニタ１８を右側面に配置換えするには、図５に示すように、モニタ１８を開閉軸４２を中心に横方向に回転させて開き、そのまま旋回軸４０を中心に横方向に回転させる。これにより、モニタ１８がカメラボディ１２の左側面から右側面に移動する。この後、モニタ１８を回転軸４４周りに１８０度回転させることにより、モニタ１８の表示面がカメラボディ１２の背面側に向けられる。また、このモニタ１８が回転軸４４周りに１８０度回転させられることにより、モニタ１８に表示される画像が上下反転される。
【００４４】
このように、本実施の形態のデジタルビデオカメラ１０によれば、モニタ１８をカメラボディ１２の左側面と右側面とに任意に移動させることができるので、左右いずれの利き腕のユーザでも同じような操作感で撮影操作を行なうことができる。
【００４５】
なお、本実施の形態では、ヒンジユニット３０のヒンジブロック３２を旋回ブロック３６によってカメラボディ１２の右側面又は左側面に移動可能に設けているが、ヒンジブロック３２を移動させる機構は、これに限定されるものではない。たとえば、ヒンジブロック３２をカメラボディ１２の正面に横方向にスライド自在に設けることによって、ブロック３２をカメラボディ１２の右側面又は左側面に移動できるように構成してもよい。
【００４６】
図７は、本発明が適用されたデジタルビデオカメラの第２の実施の形態の構成を示す上面図である。
【００４７】
同図に示すように、本実施の形態のデジタルビデオカメラ１００は、モニタがカメラボディに対して着脱自在に設けられており、上下反転させて取り付けることにより、カメラボディ１０２の右側面又は左側面に配置することができる。
【００４８】
以下、この第２の実施の形態のデジタルビデオカメラ１００の構成について説明する。なお、上述した第１の実施の形態のデジタルビデオカメラ１０と同じ部材には、同じ符号を付して、その説明は省略する。
【００４９】
図７に示すように、デジタルビデオカメラ１００は、主としてカメラボディ１０２と、そのカメラボディ１０２に対して着脱自在に設けられたモニタ／バッテリユニット１０４とで構成されている。
【００５０】
モニタ／バッテリユニット１０４は、図８及び図９に示すように、上下対称に形成されており、カメラボディ１０２に対して上下を反転させて取り付けることができるようにされている。このモニタ／バッテリユニット１０４は、取付ブロック１０６を備えており、この取付ブロック１０６をカメラボディ１０２の前面に形成された取付部１０８に取り付けることにより、カメラボディ１０２に装着される。
【００５１】
取付ブロック１０６は、図７に示すように、Ｌ字状に形成されており、カメラボディ１０２の側面に形成されたモニタ収納部４６Ｒ、４６Ｌとほぼ同じ長さの長辺部１０６Ａと、カメラボディ１０２の横幅とほぼ同じ長さの短辺部１０６Ｂとを備えている。
【００５２】
取付ブロック１０６の長辺部１０６Ａには、外側にバッテリ装着部１１０が形成されており、このバッテリ装着部１１０にバッテリ１１２が着脱自在に装着される。
【００５３】
一方、取付ブロック１０６の短辺部１０６Ｂには、側部にヒンジユニット１１４を介してモニタ１８が取り付けられている。ヒンジユニット１１４は、図７〜図９に示すように、ヒンジブロック１１６と回転ブロック１１８とで構成されている。ヒンジブロック１１６は、取付ブロック１０６に対して開閉軸１２０周りに回動自在に支持されており、回転ブロック１１８は、ヒンジブロック１１６に対して回転軸１２２周りに回動自在に支持されている。モニタ１８は、ヒンジブロック１１６を開閉軸１２０周りに回転させることにより、開閉角を調整でき、回転ブロック１１８を回転軸１２２周りに回転させることにより、傾斜角を調整できる。
【００５４】
なお、ヒンジブロック１１６と開閉軸１２０との間、及び、回転ブロック１１８と回転軸１２２との間には、それぞれフリクションが与えられており、モニタ１８を任意の開閉角及び傾斜角の位置で止めることができるようになっている。
【００５５】
カメラボディ１０２に形成された取付部１０８は、図１０に示すように、取付ブロック１０６の短辺部１０６Ｂを嵌合可能な凹部として形成されており、その上面及び下面には、ロック穴１２４が形成されている。取付ブロック１０６の短辺部１０６Ｂの上面及び下面には、このロック穴１２４に嵌合するロックピン１２６が出没自在に設けられている。
【００５６】
ロックピン１２６は、図示しないスプリングによって突出方向に付勢されており、その先端部には短辺部１０６Ｂの外側から内側に向かって下方向に傾斜するテーパが形成されている。また、このロックピン１２６は、短辺部１０６Ｂの正面に設けられたロック解除レバー１２８を突出方向と逆方向にスライドさせることにより、短辺部１０６Ｂの上面及び下面から強制的に退避させられる。
【００５７】
取付ブロック１０６は、図７に示すように、カメラボディ１０２の前方からカメラボディ１０２の取付部１０８に短辺部１０６Ｂを嵌め込むようにして取り付ける。この取付ブロック１０６の短辺部１０６Ｂを取付部１０８に嵌め込む過程でロックピン１２６の先端テーパ部が、取付部１０８の上縁及び下縁に押されて退避し、ロック穴１２４の位置で突出して、取付ブロック１０６が取付部１０８にロックされる。
【００５８】
また、カメラボディ１０２に形成された取付部１０８には、図１０に示すように、一対のジャック１３０Ａ1 、１３０Ｂ1 、１３０Ｃ1 と１３０Ａ2 、１３０Ｂ2 、１３０Ｃ2 とが幅方向の中央部に縦列配置されている。この一対のジャック１３０Ａ1 〜１３０Ｃ1 と１３０Ａ2 〜１３０Ｃ2 は、取付部１０８の中心Ｏを中心に上下対称に配置されている。
【００５９】
一方、取付ブロック１０６の短辺部１０６Ｂの内側には、図９に示すように、取付部１０８に形成されたジャック１３０Ａ1 〜１３０Ｃ1 、１３０Ａ2 〜１３０Ｃ2 に接続されるプラグ１３２Ａ、１３２Ｂ、１３２Ｃが、ジャック１３０Ａ1 〜１３０Ｃ1 、１３０Ａ2 〜１３０Ｃ2 と同じ間隔で配置されている。このプラグ１３２Ａ、１３２Ｂ、１３２Ｃは、取付ブロック１０６を取付部１０８に取り付けることにより、取付部１０８に形成されたジャック１３０Ａ1 〜１３０Ｃ1 又はジャック１３０Ａ2 〜１３０Ｃ2 に接続される。
【００６０】
ここで、上記のようにモニタ／バッテリユニット１０４は、カメラボディ１０２に対して上下反転させて取り付けることができるようにされており、図８（ａ）に示すように、カメラボディ１０２の左側面にモニタ１８が配置されるように、モニタ／バッテリユニット１０４をカメラボディ１０２に取り付けると、取付ブロック１０６に設けられたプラグ１３２Ａ、１３２Ｂ、１３２Ｃが、取付部１０８の下側に設けられたジャック１３０Ａ2 〜１３０Ｃ2 に接続される。
【００６１】
一方、モニタ／バッテリユニット１０４の上下反転させて、図８（ｂ）に示すように、カメラボディ１０２の右側面にモニタ１８が配置されるように、モニタ／バッテリユニット１０４をカメラボディ１０２に取り付けると、取付ブロック１０６に設けられたプラグ１３２Ａ、１３２Ｂ、１３２Ｃが、取付部１０８の上側に設けられたジャックと１３０Ａ1 〜１３０Ｃ1 に接続される。
【００６２】
このジャック１３０Ａ1 〜１３０Ｃ1 、１３０Ａ2 〜１３０Ｃ2 とプラグ１３２Ａ、１３２Ｂ、１３２Ｃは、電源の供給や信号の送受に用いられ、このジャック１３０Ａ1 〜１３０Ｃ1 、１３０Ａ2 〜１３０Ｃ2 とプラグ１３２Ａ、１３２Ｂ、１３２Ｃが接続されることにより、カメラボディ１０２側に電源が供給されるとともに、画像をモニタ１８に再生表示することができるようになる。
【００６３】
また、このジャック１３０Ａ1 〜１３０Ｃ1 、１３０Ａ2 〜１３０Ｃ2 とプラグ１３２Ａ、１３２Ｂ、１３２Ｃの接続は、配置方向の検出にも使用され、上側のジャック１３０Ａ1 〜１３０Ｃ1 にプラグ１３２Ａ、１３２Ｂ、１３２Ｃが接続されると、カメラボディ１０２の右側のモニタ１８が配置されたことが検出され、下側のジャック１３０Ａ2 〜１３０Ｃ2 にプラグ１３２Ａ、１３２Ｂ、１３２Ｃが接続されると、カメラボディ１０２の左側にモニタ１８が配置されたことが検出される。ＣＰＵ６０は、この検出結果に基づいて表示回路５８にコマンドを出力し、モニタ１８に表示される画像が上下正しく表示されるように制御する。すなわち、モニタ／バッテリユニット１０４を上下反転させて取り付けると、モニタ１８に表示される画像も上下反転してしまうので、これを正常に戻すために、モニタ／バッテリユニット１０４を上下反転させて取り付けた場合は、モニタ１８に表示させる画像も上下反転させる。
【００６４】
前記のごとく構成された第２の実施の形態のデジタルビデオカメラ１００の作用は次のとおりである。
【００６５】
本実施の形態のデジタルビデオカメラ１００は、モニタ／バッテリユニット１０４がカメラボディ１０２に対して着脱自在に設けられており、このモニタ／バッテリユニット１０４を上下反転させてカメラボディ１０２に取り付けることにより、モニタ１８の位置を左右入れ替えてカメラボディ１０２に取り付けることができる。
【００６６】
たとえば、図８（ａ）に示すように、カメラボディ１０２の左側に取り付けられたモニタ１８を右側に取り付ける場合には、一度モニタ／バッテリユニット１０４を取り外し、そのモニタ／バッテリユニット１０４の上下を反転させて、カメラボディ１０２に取り付ける。これにより、図８（ｂ）に示すように、カメラボディ１０２の右側にモニタ１８が配置される。
【００６７】
なお、モニタ／バッテリユニット１０４の取り外しは、取付ブロック１０６の短辺部１０６Ｂに設けられたロック解除レバー１２８をスライドさせ、ロックピン１２６をロック穴１２４から抜きとることにより行なう。これにより、取付ブロック１０６のロックが解除され、モニタ／バッテリユニット１０４の取り外しが可能になる。
【００６８】
このように、本実施の形態のデジタルビデオカメラ１００によれば、上記第１の実施の形態のデジタルビデオカメラ１０と同様に、モニタ１８をカメラボディ１０２の左側面と右側面とに任意に移動させることができるので、左右いずれの利き腕のユーザでも同じような操作感で撮影操作を行なうことができる。
【００６９】
なお、本実施の形態では、モニタ／バッテリユニット１０４として、モニタ１８とバッテリ装着部１１０を一体化した構成としているが、バッテリ装着部１１０を分離した構成にしてもよい。すなわち、モニタ１８のみをカメラボディ１０２に対して着脱自在に取り付けるようにしてもよい。なお、本実施の形態のように、バッテリ装着部１１０を一体化し、モニタ１８の反対側の面に配置することにより、バランスのよいレイアウトにすることができる。
【００７０】
図１１は、本発明が適用されたデジタルビデオカメラの第３の実施の形態の構成を示す側面図であり、図１２は、そのブロック図である。
【００７１】
図１１に示すように、本実施の形態のデジタルビデオカメラ２００は、モニタがカメラボディに対して開閉自在かつ回転自在に設けられており、撮影者がモニタを見ながら撮影者自身を撮影（いわゆる自分撮り）できるようにされている。そして、撮影者が自分撮りを行なうと、自動的に撮影レンズのマクロ機能がＯＮになるように設定されている。
【００７２】
以下、この第３の実施の形態のデジタルビデオカメラ２００の構成について説明する。なお、上述した第１、第２の実施の形態のデジタルビデオカメラ１０、１００と同じ部材には、同じ符号を付して、その説明は省略する。
【００７３】
図１１に示すように、カメラボディ２０２に備えられたモニタ１８は、ヒンジユニット２０４を介してカメラボディ２０２の側面に開閉自在かつ回転自在に設けられている。
【００７４】
ヒンジユニット２０４は、ヒンジブロック２０６と回転ブロック２０８とで構成されている。ヒンジブロック２０６は、カメラボディ２０２に設けられた開閉軸２１０に回動自在に支持されており、このヒンジブロック２０６が開閉軸２１０周りに回動することにより、モニタ１８が開閉される。一方、回転ブロック２０８は、ヒンジブロック２０６に設けられた回転軸２１２に回動自在に支持されており、この回転ブロック２０８が回転軸２１２周りを回動することにより、モニタ１８の傾斜角度が調整される。
【００７５】
このモニタ１８の傾斜角度、すなわち回転軸２１２周りの回転角度θは、回転角度検出センサ６４によって検出され、ＣＰＵ６０に出力される。なお、回転角度検出センサ６４は、表示面を後ろ側に向けて正立させた時（表示面を開閉軸２１０と平行にした時）を０度として回転軸２１０周りの回転角度θを検出し、ＣＰＵ６０に出力する。
【００７６】
ＣＰＵ６０は、この回転角度検出センサ６４の出力角度θが、９０度を超えると、撮影レンズ１４のマクロ機能をＯＮにする。すなわち、モータドライバ２１４を介して制御するフォーカスモータ２１６の駆動範囲を予め設定されたマクロ領域に切り替える。
【００７７】
また、これと同時にＣＰＵ６０は、表示回路５８にコマンドを出力し、モニタ１８に表示させる画像を上下反転させる。これにより、モニタ１８を上下反転しても、表示面には上下が修正された画像を表示することができる。
【００７８】
なお、マクロ機能の自動切替機能については、ユーザが任意にＯＮ／ＯＦＦすることができるようにされており、操作部２１８（録画ボタン２０、ズームスイッチ２２、モードスイッチ２４、十字ボタン２６、ＭＥＮＵ／ＯＫボタン２８等）にて設定するようにされている。設定は、たとえばメニュー画面にて行なわれ、マクロ自動切替モードのＯＮ／ＯＦＦとして、いずれか一方を選択するようにされている。そして、マクロ自動切替モードがＯＮに設定されると、マクロ機能の自動切替機能が有効になり、ＯＦＦに設定されると無効になる。この他、専用の切り替えスイッチを設け、この切り替えスイッチでマクロ機能の自動切替機能のＯＮ／ＯＦＦを切り替えられるようにしてもよい。
【００７９】
以上のように構成された本実施の形態のデジタルビデオカメラ２００の作用は次のとおりである。
【００８０】
図１３に示すように、ＣＰＵ６０は、まず、マクロ機能の自動切替機能が有効か否かを判定する（ステップＳ１０）。ここで、マクロ機能の自動切替機能がＯＦＦにされている場合は、処理を終了し、通常の撮影処理を実行する。すなわち、通常の駆動範囲でフォーカスモータ２１６を駆動する。
【００８１】
一方、マクロ機能の自動切替機能がＯＮにされている場合は、回転角度検出センサ６４のセンサ出力に基づいて、モニタ１８の回転角度θが９０度を超えているか否かを判定する（ステップＳ１１）。この判定の結果、モニタ１８の回転角度θが９０度を超えている場合は、表示回路５８にコマンドを出力し、モニタ１８に表示される画像を上下反転させる（ステップＳ１２）。また、これと同時にマクロ機能をＯＮにし、フォーカスモータ２１６の駆動範囲を切り替える（ステップＳ１３）。
【００８２】
マクロ機能をＯＮにすると、ＣＰＵ６０は、引き続き回転角度検出センサ６４のセンサ出力を監視し、モニタ１８の回転角度θが９０度以下になっていないか判定する（ステップＳ１４）。そして、モニタ１８の回転角度θが９０度以下になった場合は、表示回路５８にコマンドを出力し、モニタ１８に表示される画像を上下反転させ（ステップＳ１５）、これと同時にマクロ機能をＯＦＦにする（ステップＳ１６）。
【００８３】
このように、本実施の形態のデジタルビデオカメラ２００によれば、いわゆる自分撮りを行なうと、撮影レンズ１４のマクロ機能が自動的にＯＮにされる。これにより、撮影者がマクロ機能のＯＮ／ＯＦＦを設定する煩わしさが解消され、使い勝手が向上する。
【００８４】
なお、本実施の形態では、モニタ１８がカメラボディ２０２の右側面に配置されているデジタルビデオカメラ２００に本発明を適用した場合を例に説明したが、上述した第１、第２の実施の形態のデジタルビデオカメラ１０、１００のように、モニタ１８の位置を移動できるデジタルビデオカメラにも同様に本発明を適用することができる。
【００８５】
また、上述した一連の実施の形態では、本発明をデジタルビデオカメラに適用した場合を例に説明したが、モニタを備えた撮影装置であれば、デジタルビデオカメラに限らず、デジタルスチルカメラやカメラ付き携帯電話等にも同様に適用することができる。
【図面の簡単な説明】
【００８６】
【図１】第１の実施の形態のデジタルビデオカメラの正面図
【図２】第１の実施の形態のデジタルビデオカメラの上面図
【図３】第１の実施の形態のデジタルビデオカメラの右側面図
【図４】第１の実施の形態のデジタルビデオカメラの背面図
【図５】第１の実施の形態のデジタルビデオカメラの作用の説明図
【図６】第１の実施の形態のデジタルビデオカメラのブロック図
【図７】第２の実施の形態のデジタルビデオカメラの上面図
【図８】モニタ／バッテリユニットの正面図
【図９】モニタ／バッテリユニットの背面図
【図１０】カメラボディの正面図
【図１１】第３の実施の形態のデジタルビデオカメラの側面図
【図１２】第３の実施の形態のデジタルビデオカメラのブロック図
【図１３】第３の実施の形態のデジタルビデオカメラの動作のフローチャート
【符号の説明】
【００８７】
１０…デジタルビデオカメラ、１２…カメラボディ、１４…撮影レンズ、１６…ストロボ、１８…モニタ、２０…録画ボタン、２２…ズームスイッチ、２４…モードスイッチ、２６…十字ボタン、２８…ＭＥＮＵ／ＯＫボタン、３０…ヒンジユニット、３２…ヒンジブロック、３４…回転ブロック、３６…旋回ブロック、３８…旋回ブロック収容部、４０…旋回軸、４２…開閉軸、４４…回転軸、４６Ｒ、４６Ｌ…モニタ収容部、５０…ＣＣＤ、５２…信号処理回路、５４…記録部、５６…記録メディア、５８…表示回路、６０…ＣＰＵ、６２…ＲＯＭ、６４…回転角度検出センサ、１００…デジタルビデオカメラ、１０２…カメラボディ、１０４…モニタ／バッテリユニット、１０６…取付ブロック、１０６Ａ…長辺部、１０６Ｂ…短辺部、１０８…取付部、１１０…バッテリ装着部、１１２…バッテリ、１１４…ヒンジユニット、１１６…ヒンジブロック、１１８…回転ブロック、１２０…開閉軸、１２２…回転軸、１２４…ロック穴、１２６…ロックピン、１２８…ロック解除レバー、１３０Ａ1 〜１３０Ｃ1 、１３０Ａ2 〜１３０Ｃ2 …ジャック、１３２Ａ〜１３２Ｃ…プラグ、２００…デジタルビデオカメラ、２０２…カメラボディ、２０４…ヒンジユニット、２０６…ヒンジブロック、２０８…回転ブロック、２１０…開閉軸、２１２…回転軸、２１４…モータドライバ、２１６…フォーカスモータ、２１８…操作部
【図１】
2005101714.tif 000003
【図２】
2005101714.tif 000004
【図３】
2005101714.tif 000005
【図４】
2005101714.tif 000006
【図５】
2005101714.tif 000007
【図６】
2005101714.tif 000008
【図７】
2005101714.tif 000009
【図８】
2005101714.tif 000010
【図９】
2005101714.tif 000011
【図１０】
2005101714.tif 000012
【図１１】
2005101714.tif 000013
【図１２】
2005101714.tif 000014
【図１３】
2005101714.tif 000015